(57)【要約】【課題】タイル方式メニューにおいて、メニューを選択する際の操作性を向上する。【解決手段】タイル方式メニューにおけるタイル３１の一部に、タイル３１が選択された場合に表示される第２階層のタイル方式メニューのタイルの配置イメージを示すタイル配置サムネイル４０を表示させる。また、第１階層のタイル方式メニューに含まれるタイル３１，３２，３３のうち、いずれかのタイルが選択された場合、選択されたタイルに対応する第２階層のタイル方式メニューを表示させる。【選択図】図３
2020160607.tif 000002
【特許請求の範囲】
【請求項１】
第１階層のタイル方式メニューにおけるタイルの一部に、前記タイルが選択された場合に表示される第２階層のタイル方式メニューのタイルの配置イメージを表示する表示部と、
前記第１階層のタイル方式メニューから、いずれかの前記タイルが選択された場合、選択された前記タイルに対応する前記第２階層のタイル方式メニューを前記表示部に表示させる表示制御部と、を備えることを特徴とする表示制御装置。
【請求項２】
前記第２階層のタイル方式メニューが、全てのタイルを表示させるためにスクロール操作を必要とする場合、
前記表示制御部は、前記第１階層のタイル方式メニューから選択された前記タイルのタイル領域内における選択位置に応じて、前記選択位置に対応した位置にスクロールされた前記第２階層のタイル方式メニューを前記表示部に表示させることを特徴とする請求項１に記載の表示制御装置。
【請求項３】
１つのボタンである第１ボタンを表示する第１画面と、第２画面と、第３画面と、を表示する表示部と、
前記第１画面において、前記第１ボタンのボタン領域の一部である第１領域が選択されると、前記第２画面を前記表示部に表示させ、前記第１ボタンのボタン領域の一部であり前記第１領域とは異なる第２領域が選択されると、前記第３画面を前記表示部に表示させる表示制御部と、を備えることを特徴とする表示制御装置。
【請求項４】
前記第１画面は、第１階層の画面であり、前記第２画面および前記第３画面は、前記第１ボタンの選択によって表示される第２階層の画面であり、
前記第２階層の画面は、画面に含まれる全てのボタンを表示させるためにスクロール操作が必要であり、
前記第２画面は、前記第１領域に対応する位置にスクロールされた前記第２階層の画面であり、前記第３画面は、前記第２領域に対応する位置にスクロールされた前記第２階層の画面であることを特徴とする請求項３に記載の表示制御装置。
【請求項５】
コンピューターに、
第１階層のタイル方式メニューにおけるタイルの一部に、前記タイルが選択された場合に表示される第２階層のタイル方式メニューのタイルの配置イメージを表示させるステップと、
前記第１階層のタイル方式メニューから、いずれかの前記タイルが選択された場合、選択された前記タイルに対応する前記第２階層のタイル方式メニューを表示させるステップと、を実行させるためのプログラム。
【請求項６】
コンピューターに、
１つのボタンである第１ボタンを表示する第１画面を表示させるステップと、
前記第１画面において、前記第１ボタンのボタン領域の一部である第１領域が選択されると、第２画面を表示させ、前記第１ボタンのボタン領域の一部であり前記第１領域とは異なる第２領域が選択されると、第３画面を表示させるステップと、を実行させるためのプログラム。
【発明の詳細な説明】
【技術分野】
【０００１】
本発明は、表示制御装置およびプログラムに関するものである。
【背景技術】
【０００２】
従来、例えば特許文献１には、ファイルシステムやデータベースの階層構造を表示するブラウザシステムにおいて、階層の深さに応じて、ファイルアイコンやデータアイコンの大きさを変化させて表示する技術が開示されている。
【先行技術文献】
【特許文献】
【０００３】
【特許文献１】特開平８−２６３２５５号公報
【発明の概要】
【発明が解決しようとする課題】
【０００４】
特許文献１に記載の技術は、メニューの選択に応用できない。
【課題を解決するための手段】
【０００５】
本発明の表示制御装置は、第１階層のタイル方式メニューにおけるタイルの一部に、タイルが選択された場合に表示される第２階層のタイル方式メニューのタイルの配置イメージを表示する表示部と、第１階層のタイル方式メニューから、いずれかのタイルが選択された場合、選択されたタイルに対応する第２階層のタイル方式メニューを表示部に表示させる表示制御部と、を備える。
【０００６】
本発明の表示制御装置は、１つのボタンである第１ボタンを表示する第１画面と、第２画面と、第３画面と、を表示する表示部と、第１画面において、第１ボタンのボタン領域の一部である第１領域が選択されると、第２画面を表示部に表示させ、第１ボタンのボタン領域の一部であり第１領域とは異なる第２領域が選択されると、第３画面を表示部に表示させる表示制御部と、を備える。
【０００７】
本発明のプログラムは、コンピューターに、第１階層のタイル方式メニューにおけるタイルの一部に、タイルが選択された場合に表示される第２階層のタイル方式メニューのタイルの配置イメージを表示させるステップと、第１階層のタイル方式メニューから、いずれかのタイルが選択された場合、選択されたタイルに対応する第２階層のタイル方式メニューを表示させるステップと、を実行させる。
【０００８】
本発明のプログラムは、コンピューターに、１つのボタンである第１ボタンを表示する第１画面を表示させるステップと、第１画面において、第１ボタンのボタン領域の一部である第１領域が選択されると、第２画面を表示させ、第１ボタンのボタン領域の一部であり第１領域とは異なる第２領域が選択されると、第３画面を表示させるステップと、を実行させる。
【図面の簡単な説明】
【０００９】
【図１】複合機のハードウェア構成を示すブロック図である。
【図２】メニュー記憶領域の説明図である。
【図３】設定メニュー画面の表示例を示す図である。
【図４】「基本設定」メニューのタイル配置例を示す図である。
【図５】「基本設定」メニューのタイルのサムネイル領域の拡大図である。
【図６】基本設定メニュー画面の第１メニュー領域の表示例を示す図である。
【図７】基本設定メニュー画面の第２メニュー領域の表示例を示す図である。
【図８】「基本設定」メニューのタイルの選択に係る処理を示すフローチャートである。
【図９】変形例１に係る、「基本設定」メニューのタイルのサムネイル領域内における選択位置を示す図である。
【図１０】図９に示す選択位置が選択された場合の、基本設定メニュー画面の表示例を示す図である。
【図１１】変形例２に係る、「基本設定」メニューのタイル内における選択位置を示す図である。
【発明を実施するための形態】
【００１０】
以下、一実施形態に係る表示制御装置およびプログラムについて、添付図面を参照して説明する。図１は、複合機１のハードウェア構成を示すブロック図である。複合機１は、「表示制御装置」の一例である。本実施形態に係る複合機１は、コピー機能、スキャナー機能およびプリント機能を有するＭＦＰ（Multifunction Peripheral）を想定している。
【００１１】
同図に示すように、複合機１は、制御部１１、通信部１２、操作パネル１３、読取機構１４、印刷機構１５および記憶部１６を備える。操作パネル１３は、「表示部」の一例である。また、制御部１１は、「表示制御部」および「コンピューター」の一例である。
【００１２】
制御部１１は、ＣＰＵ（Central Processing Unit）１１ａ、ＲＯＭ（Read Only Memory）１１ｂおよびＲＡＭ（Random Access Memory）１１ｃを含み、複合機１内の各部を制御する。ＣＰＵ１１ａは、ＲＯＭ１１ｂに記憶された制御プログラムを、ＲＡＭ１１ｃに展開して各種演算処理を行う。制御プログラムは、「プログラム」の一例である。
【００１３】
なお、制御部１１は、ＣＰＵ１１ａ以外のプロセッサーを用いてもよい。例えば、プロセッサーは、ＡＳＩＣ（Application Specific Integrated Circuit）等のハードウェア回路でもよいし、１以上のＣＰＵとＡＳＩＣ等のハードウェア回路が協働して動作する構成でもよい。
【００１４】
通信部１２は、ホスト装置２と通信する。例えば、通信部１２は、読取機構１４で読み取った画像データをホスト装置２に送信する。また、通信部１２は、ホスト装置２から印刷機構１５で印刷を行うための印刷データを受信する。なお、ホスト装置２は、ＰＣ（Personal Computer）やタブレット端末などの情報処理装置を想定している。
【００１５】
操作パネル１３は、ユーザーからの各種操作を受け付けると共に、ユーザーに対し各種情報を提示する。本実施形態において操作パネル１３は、主に、設定メニュー画面Ｄ１（図３等参照）や基本設定メニュー画面Ｄ２（図６等参照）を表示し、各種メニューの選択操作を受け付けるために用いられる。なお、本実施形態において、選択操作とは、操作パネル１３をタッチする操作を指す。また、選択操作を行う操作具は、指やペンなど、その種類を問わない。
【００１６】
読取機構１４は、読取台に載置された原稿から、画像データを読み取る。読取機構１４には、原稿に光を照射する光源、原稿から反射された光を取り込むレンズアレイ、レンズアレイの出力を電気信号に変換するイメージセンサー、などが含まれる。なお、読取機構１４は、複合機１のコピー機能やスキャナー機能に用いられる。
【００１７】
印刷機構１５は、コピー用紙等の印刷媒体に印刷を行う機構である。例えばインクジェット方式の場合、印刷機構１５には、インクジェットヘッド、インクジェットヘッドを駆動するヘッド駆動機構、印刷媒体を搬送する印刷媒体搬送機構などが含まれる。また、例えばレーザー方式の場合、印刷機構１５には、レーザー光源、転写機構、印刷媒体を搬送する印刷媒体搬送機構などが含まれる。なお、印刷機構１５は、複合機１のコピー機能やプリント機能に用いられる。
【００１８】
記憶部１６は、例えばフラッシュメモリーであり、メニュー記憶領域１６ａおよび使用頻度記憶領域１６ｂを有する。メニュー記憶領域１６ａは、階層構造に分類されたメニューを記憶する。また、使用頻度記憶領域１６ｂは、メニュー記憶領域１６ａに含まれる各メニューの使用頻度を記憶する。
【００１９】
図２は、メニュー記憶領域１６ａの説明図である。本実施形態の複合機１は、三階層の階層式メニューを採用しているが、もちろん二階層であってもよいし、四階層以上であってもよい。トップメニューとして、「設定」メニュー、「メニュー01」および「メニュー02」の３つのメニューを有している。「メニュー01」および「メニュー02」としては、例えばコピー機能に関する設定を行う「コピーメニュー」、スキャナー機能に関する設定を行う「スキャンメニュー」、プリント機能に関する設定を行う「プリントメニュー」などである。また、「設定」メニューは、コピー機能、スキャナー機能、プリント機能など、特定の機能に限定されない設定項目について設定を行うためのメニューである。
【００２０】
複合機１は、「設定」メニューの次階層、すなわち下位階層として、「基本設定」メニュー、「メニュー11」および「メニュー12」の３つのメニューを有している。以下、この階層のメニューを「第１階層のメニュー」と称する。
【００２１】
また、複合機１は、「基本設定」メニューの次階層として、「画面の明るさ設定」メニュー、「音の設定」メニュー、「スリープ移行時間設定」メニュー、「自動電源オフ」メニュー、「ブレーカー連動起動」メニュー、「日付/時刻設定」メニュー、「キーボード」メニューおよび「長さ単位」メニューの８つのメニューを有している。以下、この階層のメニューを「第２階層のメニュー」と称する。
【００２２】
さらに、複合機１は、「音の設定」メニューの次階層として、「メニュー31」および「メニュー32」、「日付/時刻設定」メニューの次階層として、「メニュー33」および「メニュー34」を有している。以下、この階層のメニューを「第３階層のメニュー」と称する。
【００２３】
なお、図２に示したメニューの一覧において、ハイフン「―」の記号は、その階層にメニューが存在しないことを意味する。また、図２は、メニュー構造の一例を示したものであり、メニューの内容、メニュー数、階層構造などについて、限定されるものではない。
【００２４】
次に、図３ないし図７を参照し、操作パネル１３の表示、およびその操作方法について説明する。なお、これらの図面において、上下方向をＹ方向、左右方向をＸ方向と称する。図３は、「設定」メニューを表示する設定メニュー画面Ｄ１の表示例を示す図である。設定メニュー画面Ｄ１は、トップメニューの中から「設定」メニューが選択された場合に表示される画面である。
【００２５】
上記のとおり、「設定」メニューには、「基本設定」メニュー、「メニュー11」および「メニュー12」の３つのメニューが含まれている。同図に示すように、各メニューは、矩形のボタンを用いて選択可能となっている。以下、この矩形のボタンを「タイル」と称する。また、この「タイル」を並べたメニューを「タイル方式メニュー」と称する。
【００２６】
ところで、複合機１の制御部１１は、各タイルを、そのタイルに対応するメニューの使用頻度に応じた大きさで表示する。つまり、使用頻度が高いほど、タイルの領域が広くなるように、すなわちタイル面積が大きくなるように、タイルの大きさを決定する。図３では、「基本設定」メニュー、「メニュー11」および「メニュー12」の３つのメニューのうち、「基本設定」メニューの使用頻度が最も高く、次いで、「メニュー11」、「メニュー12」の順に使用頻度が低い場合を示している。したがって、「基本設定」メニューのタイル３１、「メニュー11」のタイル３２、「メニュー12」のタイル３３の順に、タイル面積が小さくなっている。
【００２７】
なお、制御部１１は、例えば「設定」メニューの選択時に、各メニューの選択履歴を記憶した不図示の記憶領域を参照することで、各メニューの使用頻度を算出し、これに基づいてタイル面積を決定する。また、制御部１１は、算出した各メニューの使用頻度に基づいて、使用頻度記憶領域１６ｂを更新する。また、各メニューの使用頻度は、複合機１の工場出荷時からの各メニューの選択回数の累計値から求めてもよいし、過去所定期間における各メニューの選択回数から求めてもよい。
【００２８】
また、制御部１１は、各タイルの一部に、各タイルに対応するメニューのメニュー名を表示する。なお、制御部１１は、タイルに対応するメニューの使用頻度が低いことにより、タイル面積が所定面積より小さくなる場合は、メニュー名の表示を省略する。なお、メニュー表示を省略するのではなく、メニュー名のフォントサイズを小さくしたり、メニュー名の一部のみを表示したりする構成でもよい。
【００２９】
また、制御部１１は、設定メニュー画面Ｄ１に表示されたタイル方式メニューの各タイルの一部に、各タイルに対応するメニューの次階層のタイルの配置イメージを表示する。以下、この「タイルの配置イメージ」を、「タイル配置サムネイル」と称する。また、タイル内において、「タイル配置サムネイル」が表示される領域を、「サムネイル領域」と称する。
【００３０】
図３では、例えば、「基本設定」メニューのタイル３１内のサムネイル領域５０に、「基本設定」メニューの次階層のタイル配置サムネイル４０が表示されている。なお、サムネイル領域５０は、同図では破線で示しているが、便宜上図示したものであり、実際に操作パネル１３に表示されるものではない。また、図３では、「メニュー11」のタイル３２内に、「メニュー11」の次階層のタイル配置サムネイル４０が表示されている。同様に、「メニュー12」のタイル３３内に、「メニュー12」の次階層のタイル配置サムネイル４０が表示されている。
【００３１】
このように、複合機１では、タイル内に、タイルに対応するメニューの次階層のタイル配置サムネイル４０を表示するため、ユーザーは、タイルに表示されたメニュー名だけでなく、タイル配置サムネイル４０を手掛かりとして、メニューを選択することができる。
【００３２】
また、制御部１１は、タイル配置サムネイル４０についても、各タイルを、そのタイルに対応するメニューの使用頻度に応じた大きさで表示する。なお、図４は、「基本設定」メニューのタイル３１が選択されたことで遷移する「基本設定」メニューにおけるタイル配置４１を示す図である。同図に示す「基本設定」メニューのタイル配置４１は、図３に示したタイル配置サムネイル４０の配置と対応し、「基本設定」メニューを表示する基本設定メニュー画面Ｄ２（図６，図７参照）のタイル５１〜５８の配置にも対応する。これらのタイルの寸法の比は、全てで一致しているものに限られず、ユーザーが同等であるという印象を得られるのであれば、多少ずれていてもよい。
【００３３】
制御部１１は、基本設定メニュー画面Ｄ２に、「基本設定」メニューの次階層である第２階層の８つのメニュー（図２参照）に対応する８つのタイル５１〜５８を表示する。上記のとおり、制御部１１は、基本設定メニュー画面Ｄ２においても、各タイルを、そのタイルに対応するメニューの使用頻度に応じた大きさで表示する。
【００３４】
また、制御部１１は、基本設定メニュー画面Ｄ２においても、各タイルの一部に、各タイルに対応するメニューのメニュー名を表示する。また、制御部１１は、基本設定メニュー画面Ｄ２においても、次階層のメニューが存在するタイルについて、そのタイルに対応するメニューのタイル配置サムネイル４０を表示する。例えば、制御部１１は、「音の設定」メニューのタイル５２内に、「音の設定」メニューの次階層のタイル配置サムネイル４０を表示する。また、制御部１１は、「日付/時刻設定」メニューのタイル５６内に、「日付/時刻設定」メニューの次階層のタイル配置サムネイル４０を表示する。なお、「音の設定」メニューのタイル５２および「日付/時刻設定」メニューのタイル５６内に表示されるタイル配置サムネイル４０についても、各タイルが、そのタイルに対応するメニューの使用頻度に応じた大きさで表示される。
【００３５】
また、制御部１１は、次階層が存在しないメニューに対応するタイルについては、そのメニューの設定値を、タイルの一部に表示する。例えば、制御部１１は、「画面の明るさ設定」メニューのタイル５１内に、「画面の明るさ設定」メニューの設定値「３」を表示し、「スリープ移行時間設定」メニューのタイル５３内に、「スリープ移行時間設定」メニューの設定値「１５min」を表示する。
【００３６】
なお、制御部１１は、設定メニュー画面Ｄ１や基本設定メニュー画面Ｄ２における各タイルのタイル面積を、各タイルに対応するメニューの使用頻度に応じて変化させるが、メニューの使用が全くない場合でも、そのメニューのタイルを非表示にすることはない。つまり、制御部１１は、各メニュー画面に表示するタイルの数は変化させない。
【００３７】
ところで、制御部１１は、タイルに次階層が存在し、その次階層のタイル方式メニューが、全てのタイルを表示させるためにスクロール操作を必要とする場合、タイルのサムネイル領域５０における選択位置に応じて、次階層のタイル方式メニューの表示を変化させる。具体的には、制御部１１は、タイルのサムネイル領域５０における選択位置に応じて、選択位置に対応した位置にスクロールされた次階層のタイル方式メニューを操作パネル１３に表示させる。
【００３８】
なお、本実施形態において、基本設定メニュー画面Ｄ２には、基本設定メニュー画面Ｄ２のＹ方向に延在するスクロールバー８５が設けられているものとする。また、スクロールバー８５における操作子８５ａを−Ｙ方向に移動させることにより、基本設定メニュー画面Ｄ２を＋Ｙ方向にスクロールさせ、操作子８５ａを＋Ｙ方向に移動させることにより、基本設定メニュー画面Ｄ２を−Ｙ方向にスクロールさせることが可能であるものとする。なお、スクロールバー８５における操作子８５ａをＹ方向に移動させる操作を、「スクロール操作」と称する。
【００３９】
図５は、「基本設定」メニューのタイル３１（図３参照）のサムネイル領域５０の拡大図である。このサムネイル領域５０を、Ｙ方向に二分割したときの＋Ｙ側の領域を第１サムネイル領域７１、−Ｙ側の領域を第２サムネイル領域７２と称する。制御部１１は、サムネイル領域５０の第１サムネイル領域７１内の任意の位置が選択されると、図６に示すように、基本設定メニュー画面Ｄ２の第１メニュー領域８１を操作パネル１３に表示させる。また、制御部１１は、サムネイル領域５０の第２サムネイル領域７２内の任意の位置が選択されると、図７に示すように、基本設定メニュー画面Ｄ２の第２メニュー領域８２を操作パネル１３に表示させる。
【００４０】
なお、本実施形態において、「基本設定」メニューのタイル３１は、「第１ボタン」の一例である。また、第１サムネイル領域７１は、「第１領域」の一例であり、第２サムネイル領域７２は、「第２領域」の一例である。また、「基本設定」メニューのタイル３１を表示する設定メニュー画面Ｄ１（図３参照）は、「第１画面」の一例である。また、基本設定メニュー画面Ｄ２の第１メニュー領域８１は、「第２画面」の一例であり、基本設定メニュー画面Ｄ２の第２メニュー領域８２は、「第３画面」の一例である。
【００４１】
図６に示すように、制御部１１は、サムネイル領域５０の第１サムネイル領域７１内が選択された場合、ユーザーの選択位置である第１サムネイル領域７１に対応する位置にスクロールされた基本設定メニュー画面Ｄ２を表示する。この場合、スクロールバー８５の操作子８５ａは、例えばスクロールバー８５の＋Ｙ側の端に位置し、図４に示した「基本設定」メニューのタイル配置４１に含まれるタイルのうち、＋Ｙ側に配置されたタイル５１〜５４が操作パネル１３に表示される。
【００４２】
一方、図７に示すように、制御部１１は、サムネイル領域５０の第２サムネイル領域７２内が選択された場合、ユーザーの選択位置である第２サムネイル領域７２に対応する位置にスクロールされた基本設定メニュー画面Ｄ２を表示する。この場合、スクロールバー８５の操作子８５ａは、例えばスクロールバー８５の−Ｙ側の端に位置し、図４に示した「基本設定」メニューのタイル配置４１に含まれるタイルのうち、−Ｙ側に配置されたタイル５５〜５８が操作パネル１３に表示される。
【００４３】
次に、図８のフローチャートを参照し、「基本設定」メニューのタイル３１の選択に係る処理の流れについて説明する。制御部１１は、設定メニュー画面Ｄ１において、いずれかのタイルの一部がタッチされた場合には、当該タイルの全体がタッチされたことを示すアニメーションを行い、その後すぐにタッチが解除された場合に、当該タイルが選択されたものとして認識し、タイル全体がタッチ解除されたことを示すアニメーションを行い、図８のフローチャートを開始する。
【００４４】
制御部１１は、設定メニュー画面Ｄ１において、「基本設定」メニューのタイル３１が選択されたか否かを判断する（Ｓ０１）。制御部１１は、設定メニュー画面Ｄ１において、「基本設定」メニューのタイル３１以外のタイルが選択された場合は（Ｓ０１：Ｎｏ）、選択されたタイルに応じた表示を行う（Ｓ０２）。Ｓ０２では、選択されたタイルに対応するメニューの次階層のタイル方式メニューを表示する。
【００４５】
制御部１１は、設定メニュー画面Ｄ１において、「基本設定」メニューのタイル３１が選択された場合（Ｓ０１：Ｙｅｓ）、第２サムネイル領域７２が選択されたか否かを判断する（Ｓ０３）。つまり、制御部１１は、ユーザーの選択位置が、第２サムネイル領域７２に含まれるか否かを判断する。制御部１１は、第２サムネイル領域７２が選択されたと判断した場合（Ｓ０３：Ｙｅｓ）、図７に示したとおり、基本設定メニュー画面Ｄ２の第２メニュー領域８２を表示する（Ｓ０４）。
【００４６】
また、制御部１１は、第２サムネイル領域７２が選択されていないと判断した場合（Ｓ０３：Ｎｏ）、図６に示したとおり、基本設定メニュー画面Ｄ２の第１メニュー領域８１を表示する（Ｓ０５）。なお、第２サムネイル領域７２が選択されていないと判断した場合（Ｓ０３：Ｎｏ）とは、第１サムネイル領域７１が選択された場合、および「基本設定」メニューのタイル３１内の領域のうち、サムネイル領域５０以外の領域が選択された場合、の両方を含むものである。
【００４７】
以上、説明したとおり、本実施形態に係る複合機１によれば、第１階層のタイル方式メニューに含まれる「基本設定」メニューのタイル３１の一部に、「基本設定」メニューの次階層のタイルの配置イメージを示すタイル配置サムネイル４０を表示するため、ユーザーは、第１階層から第２階層に移行する操作において、タイルに表示されたタイル配置サムネイル４０を手掛かりとして、タイルを選択することができる。これにより、ユーザーは、現在のメニュー階層を認識したり、目的のメニューへの操作経路を思い浮かべたりするにあたり、メニュー名など文字要素だけでなく、直観的にイメージできる図形的要素を手掛かりとすることができ、操作性の向上が期待できる。
【００４８】
また、複合機１は、「基本設定」メニューのタイル３１のサムネイル領域５０内における選択位置に応じて、選択位置に対応した位置にスクロールされた基本設定メニュー画面Ｄ２を表示させることができる。このため、ユーザーは、サムネイル領域５０内における選択位置を変化させることにより、基本設定メニュー画面Ｄ２の所望のスクロール位置を素早く表示させることができる。
【００４９】
なお、上記の実施形態によらず、以下の変形例を採用可能である。
［変形例１］
上記の実施形態では、「基本設定」メニューのタイル３１のサムネイル領域５０を、第１サムネイル領域７１と第２サムネイル領域７２の２つの領域に分割したが、サムネイル領域５０は、Ｙ方向において３つ以上の領域に分割してもよい。また、さらにサムネイル領域５０を細分化し、例えば、図９および図１０に示すように、サムネイル領域５０に表示されたタイル配置サムネイル４０上の選択位置Ｓ１が、基本設定メニュー画面Ｄ２の表示領域の中心と一致するようにしてもよい。すなわち、タイル配置サムネイル４０上の選択位置Ｓ１に応じて、基本設定メニュー画面Ｄ２のＹ方向におけるスクロール位置を決定してもよい。図９では、タイル配置サムネイル４０上の選択位置Ｓ１がタイル配置サムネイル４０の中心付近である例を示しているため、図１０では、基本設定メニュー画面Ｄ２の第１メニュー領域８１（図６参照）の−Ｙ側の一部と、第２メニュー領域８２（図７参照）の＋Ｙ側の一部を含む第３メニュー領域８３を表示した例を示している。
【００５０】
［変形例２］
また、上記の実施形態では、「基本設定」メニューのタイル３１内の領域のうち、サムネイル領域５０以外の領域が選択された場合、基本設定メニュー画面Ｄ２の第１メニュー領域８１を表示するものとしたが、その選択位置に応じて基本設定メニュー画面Ｄ２の表示領域を決定する選択領域をサムネイル領域５０外に拡張してもよい。ここでは、選択領域をサムネイル領域５０の左側に拡張し、Ｙ方向に３つの領域に分割したものとして説明する。例えば、図１１に示すように、選択位置Ｓ２が選択された場合は、タイル配置サムネイル４０の、その選択位置Ｓ２のＹ座標が選択されたものとして、図６に示したように、基本設定メニュー画面Ｄ２の第１メニュー領域８１を表示してもよい。同様に、選択位置Ｓ３が選択された場合は、タイル配置サムネイル４０の、その選択位置Ｓ３のＹ座標が選択されたものとして、図１０に示したように、基本設定メニュー画面Ｄ２の第３メニュー領域８３を表示してもよい。同様に、選択位置Ｓ４が選択された場合は、タイル配置サムネイル４０の、その選択位置Ｓ４のＹ座標が選択されたものとして、図７に示したように、基本設定メニュー画面Ｄ２の第２メニュー領域８２を表示してもよい。このように選択領域は、サムネイル領域５０内に限られるものではなく、タイルの全体又はタイルの一部であってサムネイル領域５０を包含する範囲に拡張してもよい。
【００５１】
［変形例３］
上記の実施形態では、基本設定メニュー画面Ｄ２において、スクロールバー８５により、基本設定メニュー画面Ｄ２のＹ方向にスクロール可能な場合を例示したが、Ｙ方向だけでなくＸ方向に画面をスクロール可能としてもよい。この場合、サムネイル領域５０を、Ｙ方向およびＸ方向に複数の領域に分割し、どの領域が選択されたかによって、基本設定メニュー画面Ｄ２の表示領域を決定してもよい。また、変形例１および変形例２を、Ｙ方向ではなくＸ方向に適用してもよい。
【００５２】
［変形例４］
また、「基本設定」メニューのタイル３１が選択されたとき、その選択位置に対応する基本設定メニュー画面Ｄ２の表示領域に、直接遷移するのではなく、時間をかけて遷移してもよい。例えば、「基本設定」メニューの第２サムネイル領域７２が選択されたとき、基本設定メニュー画面Ｄ２の第１メニュー領域８１を一時的に表示した後、画面スクロールさせて第２メニュー領域８２を表示してもよい。
【００５３】
［変形例５］
また、「基本設定」メニューのタイル３１において、サムネイル領域５０の第１サムネイル領域７１が選択されたときと、第２サムネイル領域７２が選択されたときとで、同じ画面の異なるスクロール位置を表示するのではなく、異なる画面を表示してもよい。例えば、「基本設定」メニューのタイル３１の第１サムネイル領域７１が選択されたときに移行する第２画面と、第２サムネイル領域７２が選択されたときに移行する第３画面と、が別画面で、「基本設定」メニューのタイル３１のサムネイル領域５０以外の領域が選択されたときは、第２画面と第３画面を含む画面に移行する、などの構成でもよい。
【００５４】
［変形例６］
上記の実施形態では、タイル方式メニューにより、矩形のタイルを用いてメニューを選択する場合を例示したが、タイルの形状は必ずしも矩形でなくてもよい。例えば、角丸四角形や菱型のタイルを用いてもよい。また、メニューを選択するためのものであれば、一般的に「タイル」と称されるものではなく、「ボタン」と称されるアイコン状のタイルを用いてもよい。
【００５５】
［変形例７］
上記の実施形態では、「基本設定」メニューのタイル３１の一部領域を、サムネイル領域５０としたが、タイル３１の全領域をサムネイル領域５０としてもよい。
【００５６】
［変形例８］
上記の実施形態において、制御部１１は、「設定」メニューの選択時に、使用頻度記憶領域１６ｂに記憶する各メニューの使用頻度を更新するものとしたが、複合機１の電源ＯＮ時や、ユーザーが所定の操作を行ったときに更新してもよい。また、ユーザーが何らかのメニューを選択するたびに、使用頻度を更新してもよい。また、使用頻度によらず同じタイル配置としていてもよい。
【００５７】
［変形例９］
上記の実施形態では、「基本設定」メニューのタイル３１についてのみ、サムネイル領域５０が設定されているものとして説明したが、「基本設定」メニュー以外の「メニュー11」および「メニュー12」についても、サムネイル領域５０が設定されており、その選択位置に応じて、次階層のタイル方式メニューの表示領域を変化させてもよい。また、第１階層の上位階層（図２の「トップメニュー」）や下位階層の第２階層においても同様に、タイル内にサムネイル領域５０を設定してもよい。
【００５８】
［変形例１０］
上記の実施形態において、制御部１１は、タイル配置サムネイル４０において、各タイルにメニュー名を表示していないが（図３参照）、各タイルの一部に、各タイルに対応するメニューのメニュー名を表示してもよい。なお、タイル配置サムネイル４０についても、タイル面積が小さい場合、メニュー名の表示を省略してもよい。若しくは、メニュー名のフォントサイズを小さくしたり、メニュー名の一部のみを表示したりしてもよい。
【００５９】
［変形例１１］
上記の実施形態を、複合機１以外の表示部を有する電子機器に適用してもよい。例えば、印刷装置、スキャナー装置、タブレット端末、ＰＣなどの電子機器に、「表示制御装置」を適用してもよい。また、ＰＣの場合は、タイル方式メニューを表示する表示部として液晶ディスプレーを用い、タイル方式メニューの操作を行う操作部としてマウスを用いるなど、表示部と操作部は別体でもよい。
【００６０】
［変形例１２］
上記の実施形態では、操作パネル１３にタイル方式メニューを表示する場合を例示したが、ＶＲ（Virtual Reality）装置など、虚像としてタイル方式メニューを表示する場合にも、本実施形態を適用してもよい。
【００６１】
［変形例１３］
上記の実施形態に示した複合機１の各処理を実行する方法、複合機１の各処理を実行するためのプログラム、またそのプログラムを記録したコンピューター読み取り可能な記録媒体も、発明の権利範囲に含まれる。また、上記の実施形態と各変形例を組み合わせた構成としてもよい。その他、複合機１の各処理をハードウェアとソフトウェアの協働により実現するなど、発明の要旨を逸脱しない範囲で、適宜変更が可能である。
【００６２】
［付記］
以下、表示制御装置およびプログラムについて付記する。
複合機１は、第１階層のタイル方式メニューにおけるタイルの一部に、タイルが選択された場合に表示される第２階層のタイル方式メニューのタイルの配置イメージを表示する操作パネル１３と、第１階層のタイル方式メニューから、いずれかのタイルが選択された場合、選択されたタイルに対応する第２階層のタイル方式メニューを操作パネル１３に表示させる制御部１１と、を備える。
【００６３】
プログラムは、制御部１１に、第１階層のタイル方式メニューにおけるタイルの一部に、タイルが選択された場合に表示される第２階層のタイル方式メニューのタイルの配置イメージを表示させるステップと、第１階層のタイル方式メニューから、いずれかのタイルが選択された場合、選択されたタイルに対応する第２階層のタイル方式メニューを表示させるステップと、を実行させる。
【００６４】
この構成によれば、複合機１は、第１階層のタイル方式メニューにおけるタイルの一部に、第２階層のタイル方式メニューのタイルの配置イメージを表示させるため、ユーザーは、第１階層から第２階層に移行する操作において、タイルに表示される配置イメージを手掛かりとして、タイルを選択することができる。
【００６５】
上記の複合機１において、第２階層のタイル方式メニューが、全てのタイルを表示させるためにスクロール操作を必要とする場合、制御部１１は、第１階層のタイル方式メニューから選択されたタイルのタイル領域内における選択位置に応じて、選択位置に対応した位置にスクロールされた第２階層のタイル方式メニューを操作パネル１３に表示させることが好ましい。
【００６６】
この構成によれば、複合機１は、第１階層のタイル方式メニューから選択されたタイルのタイル領域内における選択位置に応じて、選択位置に対応した位置にスクロールされた第２階層のタイル方式メニューを表示させるため、ユーザーは、第１階層のタイルの選択位置を変化させることにより、第２階層の所望のスクロール位置を素早く表示させることができる。
【００６７】
複合機１は、１つのボタンである第１ボタンを表示する第１画面と、第２画面と、第３画面と、を表示する操作パネル１３と、第１画面において、第１ボタンのボタン領域の一部である第１領域が選択されると、第２画面を操作パネル１３に表示させ、第１ボタンのボタン領域の一部であり第１領域とは異なる第２領域が選択されると、第３画面を操作パネル１３に表示させる制御部１１と、を備える。
【００６８】
プログラムは、制御部１１に、１つのボタンである第１ボタンを表示する第１画面を表示させるステップと、第１画面において、第１ボタンのボタン領域の一部である第１領域が選択されると、第２画面を表示させ、第１ボタンのボタン領域の一部であり第１領域とは異なる第２領域が選択されると、第３画面を表示させるステップと、を実行させる。
【００６９】
この構成によれば、複合機１は、第１ボタンの第１領域が選択されると、第２画面を表示させ、第１ボタンの第２領域が選択されると、第３画面を表示させるため、ユーザーは、第１ボタンの選択位置を変化させることにより、所望の画面を素早く表示させることができる。
【００７０】
上記の複合機１において、第１画面は、第１階層の画面であり、第２画面および第３画面は、第１ボタンの選択によって表示される第２階層の画面であり、第２階層の画面は、画面に含まれる全てのボタンを表示させるためにスクロール操作が必要であり、第２画面は、第１領域に対応する位置にスクロールされた第２階層の画面であり、第３画面は、第２領域に対応する位置にスクロールされた第２階層の画面である。
【００７１】
この構成によれば、第２画面は、第１ボタンの第１領域に対応する位置にスクロールされた第２階層の画面であり、第３画面は、第１ボタンの第２領域に対応する位置にスクロールされた第２階層の画面であるため、ユーザーは、第１ボタンの選択位置を変化させることにより、第２階層の所望のスクロール位置を素早く表示させることができる。
【符号の説明】
【００７２】
１３…操作パネル、３１…「基本設定」メニューのタイル、３２…「メニュー11」のタイル、３３…「メニュー12」のタイル、４０…タイル配置サムネイル、５０…サムネイル領域、Ｄ１…設定メニュー画面。
【図１】
2020160607.tif 000003
【図２】
2020160607.tif 000004
【図３】
2020160607.tif 000005
【図４】
2020160607.tif 000006
【図５】
2020160607.tif 000007
【図６】
2020160607.tif 000008
【図７】
2020160607.tif 000009
【図８】
2020160607.tif 000010
【図９】
2020160607.tif 000011
【図１０】
2020160607.tif 000012
【図１１】
2020160607.tif 000013